(57)【特許請求の範囲】
【請求項１】
被験者の視野をスキャンするための視野スキャン用画面を出力装置に生成する視野スキャン用画面生成手段と、
視野スキャン中、被験者に凝視される固視標を、前記視野スキャン用画面生成手段により生成された視野スキャン用画面に表示する固視標表示制御手段と、
前記視野スキャン用画面において、視標を走査させるための視標走査線を、互いに平行に設定する視標走査線平行設定手段と、
該視標走査線平行設定手段により設定された視標走査線上に、前記視標を、静的に表示制御する静的表示制御手段と、
該静的表示制御手段により、静的に表示制御された前記視標の表示位置を記憶装置に記憶する静的表示位置記憶手段と、
前記静的表示制御手段により、前記視標が静的に表示制御された状態で、所定の一瞬の間を経ると、前記視標に対する前記静的な表示制御を一旦終了する静的表示制御一旦終了手段と、
該静的表示制御一旦終了手段により、前記視標に対する前記静的な表示制御が一旦終了されると、
前記静的表示位置記憶手段により記憶装置に記憶された位置から前記視標を、前記視標走査線に沿って、動的な走査を開始させる動的表示制御手段と、
該動的表示制御手段により、前記視標が開始した前記動的な走査が被験者視野に認識された時点を、入力装置を経て検出する検出手段と、
該検出手段により検出された時点での、前記視標の表示位置を記憶装置に記憶する検出位置記憶手段と、
被験者の視野をマッピングして表示するための視野マッピング用画面を出力装置に生成する視野マッピング用画面生成手段と、
前記静的表示位置記憶手段により記憶された前記視標の表示位置、及び前記検出位置記憶手段により記憶された前記視標の表示位置を参照して、前記視野マッピング用画面に視野マッピングを行う視野マッピング手段と、
前記検出手段により、前記動的な走査が被験者視野に認識された時点が、入力装置を経て検出されると、前記視標に対する前記動的な走査を一旦終了する動的表示制御一旦終了手段と、
前記検出手段により、前記動的な走査が被験者視野に認識された時点が、入力装置を経て検出されると、前記視標走査線に対する次の走査を続行するために、前記静的表示制御手段は、前記視標走査線上の、前記検出位置記憶手段により記憶された前記視標の表示位置に、前記視標を、静的に表示する表示制御を行い、
前記静的表示位置記憶手段以降は、同上の処理を行うが、
該処理を前記視標走査線において繰り返すことで前記視標走査線に対する同様な走査を続行する同一走査線走査続行手段と、
前記同一走査線走査続行手段により、前記視標走査線に対する走査を終えると、
前記視標走査線平行設定手段により設定される次の視標走査線に、走査線換えを行い、該視標走査線に対して、同様な走査を続行する次の走査線への走査移行手段と、を、備えることを特徴とする視野スキャン装置。
【請求項２】
被験者の視野をスキャンするための視野スキャン用画面を出力装置に生成する視野スキャン用画面生成手段によるステップと、
視野スキャン中、被験者に凝視される固視標を、前記視野スキャン用画面生成手段によるステップにより生成された視野スキャン用画面に表示する固視標表示制御手段によるステップと、
前記視野スキャン用画面において、視標を走査させるための視標走査線を、互いに平行に設定する視標走査線平行設定手段によるステップと、
該視標走査線平行設定手段によるステップにより設定された視標走査線上に、前記視標を、静的に表示制御する静的表示制御手段によるステップと、
該静的表示制御手段によるステップにより、静的に表示制御された前記視標の表示位置を記憶装置に記憶する静的表示位置記憶手段によるステップと、
前記静的表示制御手段によるステップにより、前記視標が静的に表示制御された状態で、所定の一瞬の間を経ると、前記視標に対する前記静的な表示制御を一旦終了する静的表示制御一旦終了手段によるステップと、
該静的表示制御一旦終了手段によるステップにより、前記視標に対する前記静的な表示制御が一旦終了されると、
前記静的表示位置記憶手段によるステップにより記憶装置に記憶された位置から前記視標を、前記視標走査線に沿って、動的な走査を開始させる動的表示制御手段によるステップと、
該動的表示制御手段によるステップにより、前記視標が開始した前記動的な走査が被験者視野に認識された時点を、入力装置を経て検出する検出手段によるステップと、
該検出手段によるステップにより検出された時点での、前記視標の表示位置を記憶装置に記憶する検出位置記憶手段によるステップと、
被験者の視野をマッピングして表示するための視野マッピング用画面を出力装置に生成する視野マッピング用画面生成手段によるステップと、
前記静的表示位置記憶手段によるステップにより記憶された前記視標の表示位置、及び前記検出位置記憶手段によるステップにより記憶された前記視標の表示位置を参照して、前記視野マッピング用画面に視野マッピングを行う視野マッピング手段によるステップと、
前記検出手段によるステップにより、前記動的な走査が被験者視野に認識された時点が、入力装置を経て検出されると、前記視標に対する前記動的な走査を一旦終了する動的表示制御一旦終了手段によるステップと、
前記検出手段によるステップにより、前記動的な走査が被験者視野に認識された時点が、入力装置を経て検出されると、前記視標走査線に対する次の走査を続行するために、前記静的表示制御手段によるステップは、前記視標走査線上の、前記検出位置記憶手段によるステップにより記憶された前記視標の表示位置に、前記視標を、静的に表示する表示制御を行い、
前記静的表示位置記憶手段によるステップ以降は、同上の処理を行うが、
該処理を前記視標走査線において繰り返すことで前記視標走査線に対する同様な走査を続行する同一走査線走査続行手段によるステップと、
前記同一走査線走査続行手段によるステップにより、前記視標走査線に対する走査を終えると、
前記視標走査線平行設定手段によるステップにより設定される次の視標走査線に、走査線換えを行い、該視標走査線に対して、同様な走査を続行する次の走査線への走査移行手段によるステップと、を、有することを特徴とする視野スキャン装置の作動方法。
【請求項３】
コンピュータを、
被験者の視野をスキャンするための視野スキャン用画面を出力装置に生成する視野スキャン用画面生成手段と、
視野スキャン中、被験者に凝視される固視標を、前記視野スキャン用画面生成手段により生成された視野スキャン用画面に表示する固視標表示制御手段と、
前記視野スキャン用画面において、視標を走査させるための視標走査線を、互いに平行に設定する視標走査線平行設定手段と、
該視標走査線平行設定手段により設定された視標走査線上に、前記視標を、静的に表示制御する静的表示制御手段と、
該静的表示制御手段により、静的に表示制御された前記視標の表示位置を記憶装置に記憶する静的表示位置記憶手段と、
前記静的表示制御手段により、前記視標が静的に表示制御された状態で、所定の一瞬の間を経ると、前記視標に対する前記静的な表示制御を一旦終了する静的表示制御一旦終了手段と、
該静的表示制御一旦終了手段により、前記視標に対する前記静的な表示制御が一旦終了されると、
前記静的表示位置記憶手段により記憶装置に記憶された位置から前記視標を、前記視標走査線に沿って、動的な走査を開始させる動的表示制御手段と、
該動的表示制御手段により、前記視標が開始した前記動的な走査が被験者視野に認識された時点を、入力装置を経て検出する検出手段と、
該検出手段により検出された時点での、前記視標の表示位置を記憶装置に記憶する検出位置記憶手段と、
被験者の視野をマッピングして表示するための視野マッピング用画面を出力装置に生成する視野マッピング用画面生成手段と、
前記静的表示位置記憶手段により記憶された前記視標の表示位置、及び前記検出位置記憶手段により記憶された前記視標の表示位置を参照して、前記視野マッピング用画面に視野マッピングを行う視野マッピング手段と、
前記検出手段により、前記動的な走査が被験者視野に認識された時点が、入力装置を経て検出されると、前記視標に対する前記動的な走査を一旦終了する動的表示制御一旦終了手段と、
前記検出手段により、前記動的な走査が被験者視野に認識された時点が、入力装置を経て検出されると、前記視標走査線に対する次の走査を続行するために、前記静的表示制御手段は、前記視標走査線上の、前記検出位置記憶手段により記憶された前記視標の表示位置に、前記視標を、静的に表示する表示制御を行い、
前記静的表示位置記憶手段以降は、同上の処理を行うが、
該処理を前記視標走査線において繰り返すことで前記視標走査線に対する同様な走査を続行する同一走査線走査続行手段と、
前記同一走査線走査続行手段により、前記視標走査線に対する走査を終えると、
前記視標走査線平行設定手段により設定される次の視標走査線に、走査線換えを行い、該視標走査線に対して、同様な走査を続行する次の走査線への走査移行手段、
として機能させることを特徴とするプログラム。
【請求項４】
コンピュータを、
被験者の視野をスキャンするための視野スキャン用画面を出力装置に生成する視野スキャン用画面生成手段と、
視野スキャン中、被験者に凝視される固視標を、前記視野スキャン用画面生成手段により生成された視野スキャン用画面に表示する固視標表示制御手段と、
前記視野スキャン用画面において、視標を走査させるための視標走査線を、互いに平行に設定する視標走査線平行設定手段と、
該視標走査線平行設定手段により設定された視標走査線上に、前記視標を、静的に表示制御する静的表示制御手段と、
該静的表示制御手段により、静的に表示制御された前記視標の表示位置を記憶装置に記憶する静的表示位置記憶手段と、
前記静的表示制御手段により、前記視標が静的に表示制御された状態で、所定の一瞬の間を経ると、前記視標に対する前記静的な表示制御を一旦終了する静的表示制御一旦終了手段と、
該静的表示制御一旦終了手段により、前記視標に対する前記静的な表示制御が一旦終了されると、
前記静的表示位置記憶手段により記憶装置に記憶された位置から前記視標を、前記視標走査線に沿って、動的な走査を開始させる動的表示制御手段と、
該動的表示制御手段により、前記視標が開始した前記動的な走査が被験者視野に認識された時点を、入力装置を経て検出する検出手段と、
該検出手段により検出された時点での、前記視標の表示位置を記憶装置に記憶する検出位置記憶手段と、
被験者の視野をマッピングして表示するための視野マッピング用画面を出力装置に生成する視野マッピング用画面生成手段と、
前記静的表示位置記憶手段により記憶された前記視標の表示位置、及び前記検出位置記憶手段により記憶された前記視標の表示位置を参照して、前記視野マッピング用画面に視野マッピングを行う視野マッピング手段と、
前記検出手段により、前記動的な走査が被験者視野に認識された時点が、入力装置を経て検出されると、前記視標に対する前記動的な走査を一旦終了する動的表示制御一旦終了手段と、
前記検出手段により、前記動的な走査が被験者視野に認識された時点が、入力装置を経て検出されると、前記視標走査線に対する次の走査を続行するために、前記静的表示制御手段は、前記視標走査線上の、前記検出位置記憶手段により記憶された前記視標の表示位置に、前記視標を、静的に表示する表示制御を行い、
前記静的表示位置記憶手段以降は、同上の処理を行うが、
該処理を前記視標走査線において繰り返すことで前記視標走査線に対する同様な走査を続行する同一走査線走査続行手段と、
前記同一走査線走査続行手段により、前記視標走査線に対する走査を終えると、
前記視標走査線平行設定手段により設定される次の視標走査線に、走査線換えを行い、該視標走査線に対して、同様な走査を続行する次の走査線への走査移行手段、
として機能させることを特徴とするプログラムを記録したことを特徴とするコンピュータ読み取り可能な記録媒体。
【発明の詳細な説明】
【技術分野】
【０００１】
本発明は、視野スキャン装置、視野スキャン装置作動方法、視野スキャン装置を実現させるプログラム、及びコンピュータに読み取り可能な記録媒体に関する。
【背景技術】
【０００２】
従来の視野計には次のような物がある。
Goldmann  perimeter、５１０型（１９４５年）、９４０型（１９６７年）、Tubinger perimeter（１９５７年）、Octopus perimeter（１９７６年）。（例えば、非特許文献１参照。）。
【０００３】
従来の視野計を説明する。Goldmann perimeterは最初の明度視野計、手動同時記録式であり、視標輝度は4から60種、視標視角は6種、視角視野、背景輝度の調整が可能。欠点は5°以内の中心部測定が不可能であること。Tubinger perimeter（１９５７年）は最初の実用的静視野計である。動的視野、色視野、フリッカー視野など測定できる。手動同時記録式。視標輝度80種、固視標輝度100種、色5種、背景輝度6種。中心視力、中心外視力測定。欠点は視標移動の操作が難しいこと、視標、固視標、背景照明灯の調整が難しいこと。Octopus perimeter（１９７６年）は世界最初の全自動静視野計。
【０００４】
【非特許文献１】最新医学大辞典（１９８７、１９９０年）、医歯薬出版株式会社。
【発明の開示】
【発明が解決しようとする課題】
【０００５】
従来の視野計によって検出される暗点や盲点の形状は非常に大雑把であり、検査結果の図は被験者にとっての暗点や盲点の実際の形状から相当かけはなれている。
従来の視野計では、初期段階にある視野障害を検出できていない。
検査が非常に単調であり、一定周期の繰り返しであるため、慣れなどにより被験者が誤り応答を行う可能性が高い。
【０００６】
そこで、本発明の目的は、被験者の暗点や盲点の形状をより詳しく検査結果の図に反映させることが可能な視野スキャン装置を提供することにある。
また、本発明の目的は、従来の視野検査の単調性を低減する本発明、視野スキャン装置を提供することにある。
【課題を解決するための手段】
【０００７】
上記の目的を達成するために、
請求項１に記載の発明は、
被験者の視野をスキャンするための視野スキャン用画面を出力装置に生成する視野スキャン用画面生成手段と、
視野スキャン中、被験者に凝視される固視標を、前記視野スキャン用画面生成手段により生成された視野スキャン用画面に表示する固視標表示制御手段と、
前記視野スキャン用画面において、視標を走査させるための視標走査線を、互いに平行に設定する視標走査線平行設定手段と、
該視標走査線平行設定手段により設定された視標走査線上に、前記視標を、静的に表示制御する静的表示制御手段と、
該静的表示制御手段により、静的に表示制御された前記視標の表示位置を記憶装置に記憶する静的表示位置記憶手段と、
前記静的表示制御手段により、前記視標が静的に表示制御された状態で、所定の一瞬の間を経ると、前記視標に対する前記静的な表示制御を一旦終了する静的表示制御一旦終了手段と、
該静的表示制御一旦終了手段により、前記視標に対する前記静的な表示制御が一旦終了されると、
前記静的表示位置記憶手段により記憶装置に記憶された位置から前記視標を、前記視標走査線に沿って、動的な走査を開始させる動的表示制御手段と、
該動的表示制御手段により、前記視標が開始した前記動的な走査が被験者視野に認識された時点を、入力装置を経て検出する検出手段と、
該検出手段により検出された時点での、前記視標の表示位置を記憶装置に記憶する検出位置記憶手段と、
被験者の視野をマッピングして表示するための視野マッピング用画面を出力装置に生成する視野マッピング用画面生成手段と、
前記静的表示位置記憶手段により記憶された前記視標の表示位置、及び前記検出位置記憶手段により記憶された前記視標の表示位置を参照して、前記視野マッピング用画面に視野マッピングを行う視野マッピング手段と、
前記検出手段により、前記動的な走査が被験者視野に認識された時点が、入力装置を経て検出されると、前記視標に対する前記動的な走査を一旦終了する動的表示制御一旦終了手段と、
前記検出手段により、前記動的な走査が被験者視野に認識された時点が、入力装置を経て検出されると、前記視標走査線に対する次の走査を続行するために、前記静的表示制御手段は、前記視標走査線上の、前記検出位置記憶手段により記憶された前記視標の表示位置に、前記視標を、静的に表示する表示制御を行い、
前記静的表示位置記憶手段以降は、同上の処理を行うが、
該処理を前記視標走査線において繰り返すことで前記視標走査線に対する同様な走査を続行する同一走査線走査続行手段と、
前記同一走査線走査続行手段により、前記視標走査線に対する走査を終えると、
前記視標走査線平行設定手段により設定される次の視標走査線に、走査線換えを行い、該視標走査線に対して、同様な走査を続行する次の走査線への走査移行手段と、を、備えることを特徴とする視野スキャン装置。
【０００８】
請求項２に記載の発明は、
被験者の視野をスキャンするための視野スキャン用画面を出力装置に生成する視野スキャン用画面生成手段によるステップと、
視野スキャン中、被験者に凝視される固視標を、前記視野スキャン用画面生成手段によるステップにより生成された視野スキャン用画面に表示する固視標表示制御手段によるステップと、
前記視野スキャン用画面において、視標を走査させるための視標走査線を、互いに平行に設定する視標走査線平行設定手段によるステップと、
該視標走査線平行設定手段によるステップにより設定された視標走査線上に、前記視標を、静的に表示制御する静的表示制御手段によるステップと、
該静的表示制御手段によるステップにより、静的に表示制御された前記視標の表示位置を記憶装置に記憶する静的表示位置記憶手段によるステップと、
前記静的表示制御手段によるステップにより、前記視標が静的に表示制御された状態で、所定の一瞬の間を経ると、前記視標に対する前記静的な表示制御を一旦終了する静的表示制御一旦終了手段によるステップと、
該静的表示制御一旦終了手段によるステップにより、前記視標に対する前記静的な表示制御が一旦終了されると、
前記静的表示位置記憶手段によるステップにより記憶装置に記憶された位置から前記視標を、前記視標走査線に沿って、動的な走査を開始させる動的表示制御手段によるステップと、
該動的表示制御手段によるステップにより、前記視標が開始した前記動的な走査が被験者視野に認識された時点を、入力装置を経て検出する検出手段によるステップと、
該検出手段によるステップにより検出された時点での、前記視標の表示位置を記憶装置に記憶する検出位置記憶手段によるステップと、
被験者の視野をマッピングして表示するための視野マッピング用画面を出力装置に生成する視野マッピング用画面生成手段によるステップと、
前記静的表示位置記憶手段によるステップにより記憶された前記視標の表示位置、及び前記検出位置記憶手段によるステップにより記憶された前記視標の表示位置を参照して、前記視野マッピング用画面に視野マッピングを行う視野マッピング手段によるステップと、
前記検出手段によるステップにより、前記動的な走査が被験者視野に認識された時点が、入力装置を経て検出されると、前記視標に対する前記動的な走査を一旦終了する動的表示制御一旦終了手段によるステップと、
前記検出手段によるステップにより、前記動的な走査が被験者視野に認識された時点が、入力装置を経て検出されると、前記視標走査線に対する次の走査を続行するために、前記静的表示制御手段によるステップは、前記視標走査線上の、前記検出位置記憶手段によるステップにより記憶された前記視標の表示位置に、前記視標を、静的に表示する表示制御を行い、
前記静的表示位置記憶手段によるステップ以降は、同上の処理を行うが、
該処理を前記視標走査線において繰り返すことで前記視標走査線に対する同様な走査を続行する同一走査線走査続行手段によるステップと、
前記同一走査線走査続行手段によるステップにより、前記視標走査線に対する走査を終えると、
前記視標走査線平行設定手段によるステップにより設定される次の視標走査線に、走査線換えを行い、該視標走査線に対して、同様な走査を続行する次の走査線への走査移行手段によるステップと、を、有することを特徴とする視野スキャン装置の作動方法。
【０００９】
請求項３に記載の発明は、
コンピュータを、
被験者の視野をスキャンするための視野スキャン用画面を出力装置に生成する視野スキャン用画面生成手段と、
視野スキャン中、被験者に凝視される固視標を、前記視野スキャン用画面生成手段により生成された視野スキャン用画面に表示する固視標表示制御手段と、
前記視野スキャン用画面において、視標を走査させるための視標走査線を、互いに平行に設定する視標走査線平行設定手段と、
該視標走査線平行設定手段により設定された視標走査線上に、前記視標を、静的に表示制御する静的表示制御手段と、
該静的表示制御手段により、静的に表示制御された前記視標の表示位置を記憶装置に記憶する静的表示位置記憶手段と、
前記静的表示制御手段により、前記視標が静的に表示制御された状態で、所定の一瞬の間を経ると、前記視標に対する前記静的な表示制御を一旦終了する静的表示制御一旦終了手段と、
該静的表示制御一旦終了手段により、前記視標に対する前記静的な表示制御が一旦終了されると、
前記静的表示位置記憶手段により記憶装置に記憶された位置から前記視標を、前記視標走査線に沿って、動的な走査を開始させる動的表示制御手段と、
該動的表示制御手段により、前記視標が開始した前記動的な走査が被験者視野に認識された時点を、入力装置を経て検出する検出手段と、
該検出手段により検出された時点での、前記視標の表示位置を記憶装置に記憶する検出位置記憶手段と、
被験者の視野をマッピングして表示するための視野マッピング用画面を出力装置に生成する視野マッピング用画面生成手段と、
前記静的表示位置記憶手段により記憶された前記視標の表示位置、及び前記検出位置記憶手段により記憶された前記視標の表示位置を参照して、前記視野マッピング用画面に視野マッピングを行う視野マッピング手段と、
前記検出手段により、前記動的な走査が被験者視野に認識された時点が、入力装置を経て検出されると、前記視標に対する前記動的な走査を一旦終了する動的表示制御一旦終了手段と、
前記検出手段により、前記動的な走査が被験者視野に認識された時点が、入力装置を経て検出されると、前記視標走査線に対する次の走査を続行するために、前記静的表示制御手段は、前記視標走査線上の、前記検出位置記憶手段により記憶された前記視標の表示位置に、前記視標を、静的に表示する表示制御を行い、
前記静的表示位置記憶手段以降は、同上の処理を行うが、
該処理を前記視標走査線において繰り返すことで前記視標走査線に対する同様な走査を続行する同一走査線走査続行手段と、
前記同一走査線走査続行手段により、前記視標走査線に対する走査を終えると、
前記視標走査線平行設定手段により設定される次の視標走査線に、走査線換えを行い、該視標走査線に対して、同様な走査を続行する次の走査線への走査移行手段、
として機能させることを特徴とするプログラム。
【００１０】
請求項４に記載の発明は、
被験者の視野をスキャンするための視野スキャン用画面を出力装置に生成する視野スキャン用画面生成手段と、
視野スキャン中、被験者に凝視される固視標を、前記視野スキャン用画面生成手段により生成された視野スキャン用画面に表示する固視標表示制御手段と、
前記視野スキャン用画面において、視標を走査させるための視標走査線を、互いに平行に設定する視標走査線平行設定手段と、
該視標走査線平行設定手段により設定された視標走査線上に、前記視標を、静的に表示制御する静的表示制御手段と、
該静的表示制御手段により、静的に表示制御された前記視標の表示位置を記憶装置に記憶する静的表示位置記憶手段と、
前記静的表示制御手段により、前記視標が静的に表示制御された状態で、所定の一瞬の間を経ると、前記視標に対する前記静的な表示制御を一旦終了する静的表示制御一旦終了手段と、
該静的表示制御一旦終了手段により、前記視標に対する前記静的な表示制御が一旦終了されると、
前記静的表示位置記憶手段により記憶装置に記憶された位置から前記視標を、前記視標走査線に沿って、動的な走査を開始させる動的表示制御手段と、
該動的表示制御手段により、前記視標が開始した前記動的な走査が被験者視野に認識された時点を、入力装置を経て検出する検出手段と、
該検出手段により検出された時点での、前記視標の表示位置を記憶装置に記憶する検出位置記憶手段と、
被験者の視野をマッピングして表示するための視野マッピング用画面を出力装置に生成する視野マッピング用画面生成手段と、
前記静的表示位置記憶手段により記憶された前記視標の表示位置、及び前記検出位置記憶手段により記憶された前記視標の表示位置を参照して、前記視野マッピング用画面に視野マッピングを行う視野マッピング手段と、
前記検出手段により、前記動的な走査が被験者視野に認識された時点が、入力装置を経て検出されると、前記視標に対する前記動的な走査を一旦終了する動的表示制御一旦終了手段と、
前記検出手段により、前記動的な走査が被験者視野に認識された時点が、入力装置を経て検出されると、前記視標走査線に対する次の走査を続行するために、前記静的表示制御手段は、前記視標走査線上の、前記検出位置記憶手段により記憶された前記視標の表示位置に、前記視標を、静的に表示する表示制御を行い、
前記静的表示位置記憶手段以降は、同上の処理を行うが、
該処理を前記視標走査線において繰り返すことで前記視標走査線に対する同様な走査を続行する同一走査線走査続行手段と、
前記同一走査線走査続行手段により、前記視標走査線に対する走査を終えると、
前記視標走査線平行設定手段により設定される次の視標走査線に、走査線換えを行い、該視標走査線に対して、同様な走査を続行する次の走査線への走査移行手段、
として機能させることを特徴とするプログラムを記録したことを特徴とするコンピュータ読み取り可能な記録媒体。
【発明の効果】
【００１１】
第一の発明である視野スキャン装置によれば、
被験者の視野をスキャンするための視野スキャン用画面を出力装置に生成する視野スキャン用画面生成手段と、
視野スキャン中、被験者に凝視される固視標を、前記視野スキャン用画面生成手段により生成された視野スキャン用画面に表示する固視標表示制御手段と、
前記視野スキャン用画面において、視標を走査させるための視標走査線を、互いに平行に設定する視標走査線平行設定手段と、
該視標走査線平行設定手段により設定された視標走査線上に、前記視標を、静的に表示制御する静的表示制御手段と、
該静的表示制御手段により、静的に表示制御された前記視標の表示位置を記憶装置に記憶する静的表示位置記憶手段と、
前記静的表示制御手段により、前記視標が静的に表示制御された状態で、所定の一瞬の間を経ると、前記視標に対する前記静的な表示制御を一旦終了する静的表示制御一旦終了手段と、
該静的表示制御一旦終了手段により、前記視標に対する前記静的な表示制御が一旦終了されると、
前記静的表示位置記憶手段により記憶装置に記憶された位置から前記視標を、前記視標走査線に沿って、動的な走査を開始させる動的表示制御手段と、
該動的表示制御手段により、前記視標が開始した前記動的な走査が被験者視野に認識された時点を、入力装置を経て検出する検出手段と、
該検出手段により検出された時点での、前記視標の表示位置を記憶装置に記憶する検出位置記憶手段と、
被験者の視野をマッピングして表示するための視野マッピング用画面を出力装置に生成する視野マッピング用画面生成手段と、
前記静的表示位置記憶手段により記憶された前記視標の表示位置、及び前記検出位置記憶手段により記憶された前記視標の表示位置を参照して、前記視野マッピング用画面に視野マッピングを行う視野マッピング手段と、
前記検出手段により、前記動的な走査が被験者視野に認識された時点が、入力装置を経て検出されると、前記視標に対する前記動的な走査を一旦終了する動的表示制御一旦終了手段と、
前記検出手段により、前記動的な走査が被験者視野に認識された時点が、入力装置を経て検出されると、前記視標走査線に対する次の走査を続行するために、前記静的表示制御手段は、前記視標走査線上の、前記検出位置記憶手段により記憶された前記視標の表示位置に、前記視標を、静的に表示する表示制御を行い、
前記静的表示位置記憶手段以降は、同上の処理を行うが、
該処理を前記視標走査線において繰り返すことで前記視標走査線に対する同様な走査を続行する同一走査線走査続行手段と、
前記同一走査線走査続行手段により、前記視標走査線に対する走査を終えると、
前記視標走査線平行設定手段により設定される次の視標走査線に、走査線換えを行い、該視標走査線に対して、同様な走査を続行する次の走査線への走査移行手段と、を、備えることを特徴とするので、
本発明、視野スキャン装置により視野スキャンを行うと、例えば、図２に示すような視野マッピング画像を得ることができる。
【００１２】
第二の発明である視野スキャン装置の作動方法によれば、
被験者の視野をスキャンするための視野スキャン用画面を出力装置に生成する視野スキャン用画面生成手段によるステップと、
視野スキャン中、被験者に凝視される固視標を、前記視野スキャン用画面生成手段によるステップにより生成された視野スキャン用画面に表示する固視標表示制御手段によるステップと、
前記視野スキャン用画面において、視標を走査させるための視標走査線を、互いに平行に設定する視標走査線平行設定手段によるステップと、
該視標走査線平行設定手段によるステップにより設定された視標走査線上に、前記視標を、静的に表示制御する静的表示制御手段によるステップと、
該静的表示制御手段によるステップにより、静的に表示制御された前記視標の表示位置を記憶装置に記憶する静的表示位置記憶手段によるステップと、
前記静的表示制御手段によるステップにより、前記視標が静的に表示制御された状態で、所定の一瞬の間を経ると、前記視標に対する前記静的な表示制御を一旦終了する静的表示制御一旦終了手段によるステップと、
該静的表示制御一旦終了手段によるステップにより、前記視標に対する前記静的な表示制御が一旦終了されると、
前記静的表示位置記憶手段によるステップにより記憶装置に記憶された位置から前記視標を、前記視標走査線に沿って、動的な走査を開始させる動的表示制御手段によるステップと、
該動的表示制御手段によるステップにより、前記視標が開始した前記動的な走査が被験者視野に認識された時点を、入力装置を経て検出する検出手段によるステップと、
該検出手段によるステップにより検出された時点での、前記視標の表示位置を記憶装置に記憶する検出位置記憶手段によるステップと、
被験者の視野をマッピングして表示するための視野マッピング用画面を出力装置に生成する視野マッピング用画面生成手段によるステップと、
前記静的表示位置記憶手段によるステップにより記憶された前記視標の表示位置、及び前記検出位置記憶手段によるステップにより記憶された前記視標の表示位置を参照して、前記視野マッピング用画面に視野マッピングを行う視野マッピング手段によるステップと、
前記検出手段によるステップにより、前記動的な走査が被験者視野に認識された時点が、入力装置を経て検出されると、前記視標に対する前記動的な走査を一旦終了する動的表示制御一旦終了手段によるステップと、
前記検出手段によるステップにより、前記動的な走査が被験者視野に認識された時点が、入力装置を経て検出されると、前記視標走査線に対する次の走査を続行するために、前記静的表示制御手段によるステップは、前記視標走査線上の、前記検出位置記憶手段によるステップにより記憶された前記視標の表示位置に、前記視標を、静的に表示する表示制御を行い、
前記静的表示位置記憶手段によるステップ以降は、同上の処理を行うが、
該処理を前記視標走査線において繰り返すことで前記視標走査線に対する同様な走査を続行する同一走査線走査続行手段によるステップと、
前記同一走査線走査続行手段によるステップにより、前記視標走査線に対する走査を終えると、
前記視標走査線平行設定手段によるステップにより設定される次の視標走査線に、走査線換えを行い、該視標走査線に対して、同様な走査を続行する次の走査線への走査移行手段によるステップと、を、有することを特徴とする視野スキャン装置の作動方法であるので、
本発明、視野スキャン装置の作動方法により視野スキャンを行うと、例えば、図２に示すような視野マッピング画像を得ることができる。
【００１３】
第三の発明である視野スキャン装置を実現させるプログラムによれば、
コンピュータを、
被験者の視野をスキャンするための視野スキャン用画面を出力装置に生成する視野スキャン用画面生成手段と、
視野スキャン中、被験者に凝視される固視標を、前記視野スキャン用画面生成手段により生成された視野スキャン用画面に表示する固視標表示制御手段と、
前記視野スキャン用画面において、視標を走査させるための視標走査線を、互いに平行に設定する視標走査線平行設定手段と、
該視標走査線平行設定手段により設定された視標走査線上に、前記視標を、静的に表示制御する静的表示制御手段と、
該静的表示制御手段により、静的に表示制御された前記視標の表示位置を記憶装置に記憶する静的表示位置記憶手段と、
前記静的表示制御手段により、前記視標が静的に表示制御された状態で、所定の一瞬の間を経ると、前記視標に対する前記静的な表示制御を一旦終了する静的表示制御一旦終了手段と、
該静的表示制御一旦終了手段により、前記視標に対する前記静的な表示制御が一旦終了されると、
前記静的表示位置記憶手段により記憶装置に記憶された位置から前記視標を、前記視標走査線に沿って、動的な走査を開始させる動的表示制御手段と、
該動的表示制御手段により、前記視標が開始した前記動的な走査が被験者視野に認識された時点を、入力装置を経て検出する検出手段と、
該検出手段により検出された時点での、前記視標の表示位置を記憶装置に記憶する検出位置記憶手段と、
被験者の視野をマッピングして表示するための視野マッピング用画面を出力装置に生成する視野マッピング用画面生成手段と、
前記静的表示位置記憶手段により記憶された前記視標の表示位置、及び前記検出位置記憶手段により記憶された前記視標の表示位置を参照して、前記視野マッピング用画面に視野マッピングを行う視野マッピング手段と、
前記検出手段により、前記動的な走査が被験者視野に認識された時点が、入力装置を経て検出されると、前記視標に対する前記動的な走査を一旦終了する動的表示制御一旦終了手段と、
前記検出手段により、前記動的な走査が被験者視野に認識された時点が、入力装置を経て検出されると、前記視標走査線に対する次の走査を続行するために、前記静的表示制御手段は、前記視標走査線上の、前記検出位置記憶手段により記憶された前記視標の表示位置に、前記視標を、静的に表示する表示制御を行い、
前記静的表示位置記憶手段以降は、同上の処理を行うが、
該処理を前記視標走査線において繰り返すことで前記視標走査線に対する同様な走査を続行する同一走査線走査続行手段と、
前記同一走査線走査続行手段により、前記視標走査線に対する走査を終えると、
前記視標走査線平行設定手段により設定される次の視標走査線に、走査線換えを行い、該視標走査線に対して、同様な走査を続行する次の走査線への走査移行手段、
として機能させることを特徴とするプログラムであるので、
プログラムを実行することにより本発明、視野スキャン装置を実現させることができ、
本発明、視野スキャン装置により視野スキャンを行うと、例えば、図２に示すような視野マッピング画像を得ることができる。
【００１４】
第四の発明である視野スキャン装置を実現させるプログラムを記録したコンピュータ読み取り可能な記録媒体によれば、
被験者の視野をスキャンするための視野スキャン用画面を出力装置に生成する視野スキャン用画面生成手段と、
視野スキャン中、被験者に凝視される固視標を、前記視野スキャン用画面生成手段により生成された視野スキャン用画面に表示する固視標表示制御手段と、
前記視野スキャン用画面において、視標を走査させるための視標走査線を、互いに平行に設定する視標走査線平行設定手段と、
該視標走査線平行設定手段により設定された視標走査線上に、前記視標を、静的に表示制御する静的表示制御手段と、
該静的表示制御手段により、静的に表示制御された前記視標の表示位置を記憶装置に記憶する静的表示位置記憶手段と、
前記静的表示制御手段により、前記視標が静的に表示制御された状態で、所定の一瞬の間を経ると、前記視標に対する前記静的な表示制御を一旦終了する静的表示制御一旦終了手段と、
該静的表示制御一旦終了手段により、前記視標に対する前記静的な表示制御が一旦終了されると、
前記静的表示位置記憶手段により記憶装置に記憶された位置から前記視標を、前記視標走査線に沿って、動的な走査を開始させる動的表示制御手段と、
該動的表示制御手段により、前記視標が開始した前記動的な走査が被験者視野に認識された時点を、入力装置を経て検出する検出手段と、
該検出手段により検出された時点での、前記視標の表示位置を記憶装置に記憶する検出位置記憶手段と、
被験者の視野をマッピングして表示するための視野マッピング用画面を出力装置に生成する視野マッピング用画面生成手段と、
前記静的表示位置記憶手段により記憶された前記視標の表示位置、及び前記検出位置記憶手段により記憶された前記視標の表示位置を参照して、前記視野マッピング用画面に視野マッピングを行う視野マッピング手段と、
前記検出手段により、前記動的な走査が被験者視野に認識された時点が、入力装置を経て検出されると、前記視標に対する前記動的な走査を一旦終了する動的表示制御一旦終了手段と、
前記検出手段により、前記動的な走査が被験者視野に認識された時点が、入力装置を経て検出されると、前記視標走査線に対する次の走査を続行するために、前記静的表示制御手段は、前記視標走査線上の、前記検出位置記憶手段により記憶された前記視標の表示位置に、前記視標を、静的に表示する表示制御を行い、
前記静的表示位置記憶手段以降は、同上の処理を行うが、
該処理を前記視標走査線において繰り返すことで前記視標走査線に対する同様な走査を続行する同一走査線走査続行手段と、
前記同一走査線走査続行手段により、前記視標走査線に対する走査を終えると、
前記視標走査線平行設定手段により設定される次の視標走査線に、走査線換えを行い、該視標走査線に対して、同様な走査を続行する次の走査線への走査移行手段、
として機能させることを特徴とするプログラムを記録したことを特徴とするコンピュータ読み取り可能な記録媒体であるので、
本発明、プログラムをコンピュータ読み取り可能にすることができ、
プログラムを実行することにより本発明、視野スキャン装置を実現させることができ、
本発明、視野スキャン装置により視野スキャンを行うと、例えば、図２に示すような視野マッピング画像を得ることができる。
【００１５】
図２においては、ＣＰＵ５０１は、視野視覚機能が低下している視野領域における程、緑色の輝度を増大させて、視野マッピング矩形を塗りつぶしている。
図２においては、暗点２０１、盲点２０３、暗点と盲点の接続部分２０２、等が明るい緑色の視野マッピング矩形群により、明示的に示されている。
本発明、視野スキャン装置は、視野視覚機能をマッピングすることができる。
本発明、視野スキャン装置は、暗点２０１、盲点２０３だけではなく、視野視覚機能が低下している領域２０４や、視野視覚機能がわずかに低下している領域２０５をもマッピングすることができる。
図２においては、暗点２０１、盲点２０３だけではなく、視野視覚機能がマッピングされている。
本発明、視野スキャン装置により生成される視野マッピング画像においては、視野視覚機能が低下している領域２０４、視野視覚機能がわずかに低下している領域２０５、をも、やや明るい緑色を呈する視野マッピング矩形群により、それら領域の位置、大きさ、形状等について、判読することが可能となっている。
本発明、視野スキャン装置は、中心窩２０６の視野視覚機能の状態をもマッピングすることができる。
高い視野視覚機能を有する中心窩２０６は、図２においては、輝度の低い緑色の視野マッピング矩形群により表示されている。
本発明、視野スキャン装置では、ＣＰＵ５０１が、視野スキャンの結果得られるデータから視野マッピング矩形を形成し、その視野マッピング矩形に、ＣＰＵ５０１がデータに応じた画像処理を付すことで、網膜構造等を強く示唆する、視野のスキャンと呼ぶにふさわしい視野マッピング画像を生成することができる。
本発明、視野スキャン装置は、ゴールドマン視野計のようなかさばる装置を必要とせず、簡単な構成で実現できる。
本発明、視野スキャン装置は、５°以内の視野中心部の測定が可能である。
【発明を実施するための最良の形態】
【００１６】
本発明、視野スキャン装置、視野スキャン装置作動方法、視野スキャン装置を実現させるプログラム、及びコンピュータに読み取り可能な記録媒体について、図面を参照しながら詳細に説明する。
【００１７】
まず、図３及び図６を参照して、本発明、視野スキャン装置の構成について説明する。
図３は、本発明、視野スキャン装置の構成の一例を表している。
図６は、本発明、視野スキャン装置におけるＣＰＵ５０１のハードウェア構成の一例を表している。
【００１８】
図３は、コンピュータシステム３０１の概略構成を示している。
本発明、視野スキャン装置は、コンピュータシステム３０１により、本発明、視野スキャン装置を実現させるプログラムを実行することで実現される。
本実施形態の視野スキャン装置を実現するコンピュータシステム３０１は、図３に示すように、後述するＣＰＵ（Ｃｅｎｔｒａｌ  Ｐｒｏｃｅｓｓｉｎｇ  Ｕｎｉｔ）５０１等を備える本体３０２と、キーボード３０３、（必要であればマウス３０６）、ディスプレイ３０４、プリンタ３０５、（必要であればスピーカ３０７）から構成されている。
【００１９】
次に、本発明、視野スキャン装置におけるＣＰＵ５０１のハードウェア構成の一例を、図６を参照しつつ説明する。
本発明、視野スキャン装置におけるＣＰＵ５０１は、具体的には、ＣＰＵ５０１等のマイクロプロセッサ、ＲＡＭ（Ｒａｎｄｏｍ  Ａｃｃｅｓｓ  Ｍｅｍｏｒｙ）５０２、ＲＯＭ（Ｒｅａｄ  Ｏｎｌｙ  Ｍｅｍｏｒｙ）５０３、ＨＤＤ（Ｈａｒｄ  Ｄｉｓｃ  Ｄｒｉｖｅ）５０４、キーボード３０３、マウス３０６、ディスプレイ３０４、プリンタ３０５、スピーカ３０７及び通信インターフェースを含んで構成される。
以上の各部分は、バス５０５により接続されている。
（ＨＤＤ５０４は入出力インターフェースを経てバス５０５に接続されている。）
キーボード３０３は入出力インターフェースを経てバス５０５に接続されており、キーボード３０３からの入力をＣＰＵ５０１に出力することができる。
ディスプレイ３０４は入出力インターフェースを経てバス５０５に接続されており、ＣＰＵ５０１からのイメージデータの入力をディスプレイ３０４に出力することができる。
プリンタ３０５は入出力インターフェースを経てバス５０５に接続されており、ＣＰＵ５０１からの入力をプリンタ３０５により出力することができる。
（スピーカ３０７は入出力インターフェースを経てバス５０５に接続されており、ＣＰＵ５０１からの入力をスピーカ３０７により出力することができる。）
（マウス３０６は入出力インターフェースを経てバス５０５に接続されており、マウス３０６からの入力をＣＰＵ５０１に出力することができる。）
【００２０】
ＣＰＵ５０１は、ＨＤＤ（Ｈａｒｄ  Ｄｉｓｃ  Ｄｒｉｖｅ）５０４に格納された本発明、視野スキャン装置を実現させるプログラムを、ＲＡＭ５０２上に展開することにより、本実施形態に特徴的な動作を実行する。
【００２１】
ＣＰＵ５０１は、本発明、視野スキャン装置を実現させるプログラムに従って、本発明、視野スキャン装置の制御や、各種の演算処理などを実行する。
ＣＰＵ５０１は、ディスプレイ３０４（出力装置の一例）による表示処理の制御を行う。
（例えば、具体的には、固視標及び視標の表示制御や、本発明、視野スキャン装置により得られたデータから視野マッピング画像の生成を行ったりする。） 
ＣＰＵ５０１は、キーボード３０３（入力装置の一例）からの入力に応じて、本発明、視野スキャン装置の制御を行う。
ＣＰＵ５０１は、視野スキャン装置から得られたデータに基づいて生成した視野マッピング画像等の出力を、プリンタ３０５等から出力させるよう制御することができる。
（必要であれば、ＣＰＵ５０１は、（例えばキーボード３０３等入力装置からの入力に応じて、あるいは例えば、視野スキャンにおいて走査線が換わる際に、あるいは例えば、視野マッピング画像が出力される際、等に）スピーカ３０７（出力装置の一例）から出力を生じさせるよう制御を行うようにしてもよい。）
（ＣＰＵ５０１は、マウス３０６（入力装置の一例）からの入力に応じて、本発明、視野スキャン装置の制御を行うようにしてもよい。）
【００２２】
キーボード３０３、（必要であればマウス３０６、）及びディスプレイ３０４は、本発明、視野スキャン装置のユーザインターフェースとして利用される。
キーボード３０３は、例えば入力を行うためのデバイス（入力装置）として利用される。
（必要であれば、マウス３０６は、ディスプレイ３０４の表示画面に、各種の入力を行うためのデバイスとして利用される。）
【００２３】
ディスプレイ３０４は、例えば、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等からなる表示デバイス（出力装置）であり、本発明、視野スキャン装置による視野のスキャンを行ったり、視野スキャン装置により生成された視野マッピング画像を表示したりする。
（必要であれば、ディスプレイ３０４に、各種の操作画面や、設定画面などを表示するようにしてもよい。）
【００２４】
また、ＣＰＵ５０１がインターネットやＬＡＮ（Ｌｏｃａｌ  Ａｒｅａ  Ｎｅｔｗｏｒｋ）等のネットワークに接続されている場合には、通信インターフェースにＬＡＮカード等のネットワークアダプタやモデム等の通信機器を具備させて、ネットワークによりデータ通信を行えるように構成することができる。その場合、本発明、視野スキャン装置を実現させるプログラムを格納するサーバを、ネットワークに設置し、ＣＰＵ５０１をサーバのクライアント端末として構成することにより、本発明における動作を、視野スキャン装置に実行させることができる。
【００２５】
また、本発明、視野スキャン装置を実現させるプログラムは、コンピュータに読み取り可能な記録媒体（記憶媒体）に記憶させることができる。
このような記録媒体（記憶媒体）として、例えば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）、半導体メモリ等がある。
【００２６】
次に、視野スキャン装置、視野スキャン装置作動方法、及び視野スキャン装置を実現させるプログラムによる視野スキャン装置の制御について、図１及び、図４及び図５を参照しながら詳細に説明する。
【００２７】
図１は、本発明、視野スキャン装置の走査及び作動態様、及び視野マッピング態様の一例を示している。
【００２８】
図４及び図５は、本発明、視野スキャン装置における視野スキャン処理、及び視野マッピング処理の一例を表す流れ図である。
【００２９】
まず、図１を参照しながら、本発明、視野スキャン装置の走査及び作動態様、及び視野マッピング態様について詳細に説明する。
【００３０】
ＣＰＵ５０１は、視野スキャン用画面１を出力装置（例えばディスプレイ３０４）に生成する。
【００３１】
ＣＰＵ５０１は、本発明、視野スキャン装置を実現させるプログラムに従い、視野スキャン用画面１において、設定された位置に、固視標２を表示する。
固視標２は、視野スキャン中、被験者の片側の目により凝視されるべき固視標である。
【００３２】
ＣＰＵ５０１は、視野スキャン装置を実現させるプログラムに従い、視野スキャン用画面１において、例えば、画面の上側から視標走査線３、視標走査線４、等を配し、以下同様に、視標走査線５まで、あらかじめ設定された（例えば、ｙ軸方向に対する）間隔で、複数の走査線を設定する。
それら走査線は、視野を走査する際に視標にたどらせる経路として設定されるものであり、ＣＰＵ５０１はそれら走査線を、視野スキャン用画面１に表示しない。
（図１においては、水平方向の視標走査線が設定されているが、他の方向の視標走査線により視標走査線を設定してもよい。）
【００３３】
ＣＰＵ５０１は、本発明、視野スキャン装置を実現させるプログラムに従い、例えば、まず視標走査線３の、視野スキャン用画面１左端に、視標６を、設定された一瞬の間、静的に表示する。
【００３４】
その後、ＣＰＵ５０１は、本発明、視野スキャン装置を実現させるプログラムに従い、視標６を動的視標に変え、設定された一定の速度で、右方向に移動させる表示制御を行う。
【００３５】
被験者が視野に、その動的視標の動きを認識できた時点でなされる入力（より具体的には、キーボード３０３の、例えばスペースキーが一瞬押されることによりなされる入力）が、入力装置（例えばキーボード３０３等）から受け付けられると、ＣＰＵ５０１は、その時点での動的視標表示位置、例えば、視標７の位置でその動的視標を、設定された一瞬の間（例えば、視標６を静的に表示した時間と同じ時間の間であってもよい）、静的に表示する。
【００３６】
その時、ＣＰＵ５０１は、視標６、及び視標７の表示位置、（及び必要であれば、例えば視標走査線３と視標走査線４の間の距離）、（及び必要であれば、例えば、固視標２と、視標６、視標７との間の相対的位置関係）を記憶装置（例えば、ＲＡＭ５０２やＨＤＤ５０４等）に記憶する。
【００３７】
ＣＰＵ５０１は、視野マッピング用画面１６を出力装置（例えばディスプレイ３０４等）に生成する。（視野マッピング用画面１６の出力装置への生成は、ＣＰＵ５０１が視野スキャン用画面１を出力装置に生成した時になされていてもよい。）
【００３８】
ＣＰＵ５０１は、記憶装置（例えば、ＲＡＭ５０２やＨＤＤ５０４等）に記憶された視標６、及び視標７の表示位置、（及び必要であれば、例えば視標走査線３と視標走査線４の間の距離）、（及び必要であれば、例えば、固視標２と、視標６、視標７との間の相対的位置関係）を読み出す。
【００３９】
ＣＰＵ５０１は、その読み出された視標６、及び視標７の表示位置、（及び必要であれば、例えば視標走査線３と視標走査線４の間の距離）、（及び必要であれば、例えば、固視標２と、視標６、視標７との間の相対的位置関係）を基にして、視野マッピング用画面１６に視野マッピング矩形１８を形成、表示する。
【００４０】
視野マッピング矩形１８の幅は、視標６、及び視標７の表示位置を基にして、ＣＰＵ５０１により形成される。
視野マッピング矩形１８の高さは、例えば視標走査線３と視標走査線４の間の距離を基にして、ＣＰＵ５０１により形成される。
【００４１】
視野マッピング用画面１６における視野マッピング矩形１８の表示位置は、視標６、及び視標７の表示位置、（及び必要であれば、例えば、固視標２と、視標６、視標７との間の相対的位置関係）を基にして、ＣＰＵ５０１により決定される。
【００４２】
ＣＰＵ５０１は、本発明、視野スキャン装置を実現させるプログラムに従い、視野マッピング矩形１８を、例えば緑色で塗りつぶす（他の色で塗りつぶしてもよい）。
その塗りつぶしにおいては、演算装置により算出され記憶装置（例えば、ＲＡＭ５０２やＨＤＤ５０４等）に記憶された視標６から視標７までの距離をＣＰＵ５０１が読み出し、その距離の値を、ＣＰＵ５０１が、演算装置により演算を行うことにより、ＲＧＢの例えばＧの色コードを（その距離の値に応じて）指定するための値に変換する。
【００４３】
ＣＰＵ５０１は、例えば、視標６から視標７までの距離が長い程、輝度を増大させた緑色により視野マッピング矩形１８を塗りつぶす（距離が長い程、輝度を低下させるように設定してもよい）。
【００４４】
既述したように、ＣＰＵ５０１は視標７を、設定された一瞬の間、視野スキャン用画面１に、静的に表示するが、その後ＣＰＵ５０１は、本発明、視野スキャン装置を実現させるプログラムに従い、視標７を動的視標に変え、設定された一定の速度（例えば、ＣＰＵ５０１が、静的に表示された視標６を動的視標に変え、視野スキャン用画面１を移動させた時の速度と同じ速度）で、右方向に移動させる表示制御を行う。
【００４５】
被験者が視野に、その動的視標の動きを認識できた時点でなされる入力（より具体的には、キーボード３０３の、例えばスペースキーが一瞬押されることによりなされる入力）が、入力装置（例えばキーボード３０３等）から受け付けられると、ＣＰＵ５０１は、その時点での動的視標表示位置、例えば、視標８の位置でその動的視標を、設定された一瞬の間（例えば、視標６を静的に表示した時間と同じ時間の間であってもよい）、静的に表示する。
【００４６】
その時、ＣＰＵ５０１は、視標７、及び視標８の表示位置、及び、例えば視標走査線３と視標走査線４の間の距離、（及び必要であれば、例えば、固視標２と、視標７、視標８との間の相対的位置関係）を記憶装置（例えば、ＲＡＭ５０２やＨＤＤ５０４等）に記憶する。
【００４７】
ＣＰＵ５０１は、記憶装置（例えば、ＲＡＭ５０２やＨＤＤ５０４等）に記憶された視標７、及び視標８の表示位置、及び、例えば視標走査線３と視標走査線４の間の距離、（及び必要であれば、例えば、固視標２と、視標７、視標８との間の相対的位置関係）を読み出す。
【００４８】
ＣＰＵ５０１は、その読み出された視標７、及び視標８の表示位置、及び、例えば視標走査線３と視標走査線４の間の距離、（及び必要であれば、例えば、固視標２と、視標７、視標８との間の相対的位置関係）を基にして、視野マッピング用画面１６に視野マッピング矩形１９を形成、表示する。
【００４９】
視野マッピング矩形１９の幅は、視標７、及び視標８の表示位置を基にして、ＣＰＵ５０１により形成される。
視野マッピング矩形１９の高さは、例えば視標走査線３と視標走査線４の間の距離を基にして、ＣＰＵ５０１により形成される。
【００５０】
視野マッピング用画面１６における視野マッピング矩形１９の表示位置は、視標７、及び視標８の表示位置、（及び必要であれば、例えば、固視標２と、視標７、視標８との間の相対的位置関係）を基にして、ＣＰＵ５０１により決定される。
【００５１】
ＣＰＵ５０１は、本発明、視野スキャン装置を実現させるプログラムに従い、視野マッピング矩形１９を、例えば緑色で塗りつぶす（他の色で塗りつぶしてもよい）。
その塗りつぶしにおいては、演算装置により算出され記憶装置（例えば、ＲＡＭ５０２やＨＤＤ５０４等）に記憶された視標７から視標８までの距離をＣＰＵ５０１が読み出し、その距離の値を、ＣＰＵ５０１が、演算装置により演算を行うことにより、ＲＧＢの例えばＧの色コードを（その距離の値に応じて）指定するための値に変換する。
【００５２】
ＣＰＵ５０１は、例えば、視標７から視標８までの距離が長い程、輝度を増大させた緑色により視野マッピング矩形１９を塗りつぶす（距離が長い程、輝度を低下させるように設定してもよい）。
【００５３】
既述したように、ＣＰＵ５０１は視標８を、設定された一瞬の間、視野スキャン用画面１に、静的に表示するが、その後ＣＰＵ５０１は、本発明、視野スキャン装置を実現させるプログラムに従い、視標８を動的視標に変え、設定された一定の速度（例えば、ＣＰＵ５０１が、静的に表示された視標６を動的視標に変え、視野スキャン用画面１を移動させた時の速度と同じ速度）で、右方向に移動させる表示制御を行う。
【００５４】
同様な処理を繰り返すことにより、例えば、今、ＣＰＵ５０１が、視野スキャン装置を実現させるプログラムに従い、視標９を動的視標に変え、設定された一定の速度（例えば、ＣＰＵ５０１が、静的に表示された視標６を動的視標に変え、視野スキャン用画面１を移動させた時の速度と同じ速度）で、右方向に移動させる表示制御を行うとする。
【００５５】
その動的視標が視野スキャン用画面１の右端である位置３Ａを超えると、
ＣＰＵ５０１は、そのことを演算装置により検出し、視標９の表示位置、及び位置３Ａ、及び、例えば視標走査線３と視標走査線４の間の距離、（及び必要であれば、例えば、固視標２と、視標９、位置３Ａとの間の相対的位置関係）を記憶装置（例えば、ＲＡＭ５０２やＨＤＤ５０４等）に記憶する。
【００５６】
ＣＰＵ５０１は、記憶装置（例えば、ＲＡＭ５０２やＨＤＤ５０４等）に記憶された視標９、及び位置３Ａの表示位置、及び、例えば視標走査線３と視標走査線４の間の距離、（及び必要であれば、例えば、固視標２と、視標９、位置３Ａとの間の相対的位置関係）を読み出す。
【００５７】
ＣＰＵ５０１は、その読み出された視標９、及び位置３Ａの表示位置、及び、例えば視標走査線３と視標走査線４の間の距離、（及び必要であれば、例えば、固視標２と、視標９、位置３Ａとの間の相対的位置関係）を基にして、視野マッピング用画面１６に視野マッピング矩形２０を形成、表示する。
【００５８】
視野マッピング矩形２０の幅は、視標９、及び位置３Ａの表示位置を基にして、ＣＰＵ５０１により形成される。
視野マッピング矩形２０の高さは、例えば視標走査線３と視標走査線４の間の距離を基にして、ＣＰＵ５０１により形成される。
【００５９】
視野マッピング用画面１６における視野マッピング矩形２０の表示位置は、視標９、及び位置３Ａの表示位置、（及び必要であれば、例えば、固視標２と、視標９、位置３Ａとの間の相対的位置関係）を基にして、ＣＰＵ５０１により決定される。
【００６０】
ＣＰＵ５０１は、本発明、視野スキャン装置を実現させるプログラムに従い、視野マッピング矩形２０を、例えば緑色で塗りつぶす（他の色で塗りつぶしてもよい）。
その塗りつぶしにおいては、演算装置により算出され記憶装置（例えば、ＲＡＭ５０２やＨＤＤ５０４等）に記憶された視標９から位置３Ａまでの距離をＣＰＵ５０１が読み出し、その距離の値を、ＣＰＵ５０１が、演算装置により演算を行うことにより、ＲＧＢの例えばＧの色コードを（その距離の値に応じて）指定するための値に変換する。
【００６１】
ＣＰＵ５０１は、例えば、視標９から位置３Ａまでの距離が長い程、輝度を増大させた緑色により視野マッピング矩形２０を塗りつぶす（距離が長い程、輝度を低下させるように設定してもよい）。
【００６２】
既述のように、視標９の位置から右方向へ動的な移動を開始した視標が、視野スキャン用画面１の右端である位置３Ａを超えると、
ＣＰＵ５０１は、そのことを演算装置により検出し、本発明、視野スキャン装置を実現させるプログラムに従い、走査線を、例えば、視標走査線４に換え、（必要であれば、設定された一瞬の間を経た後に）その視標走査線４上の、視野スキャン用画面１左端に、視標１０を、設定された一瞬の間（例えば、視標６を静的に表示した時間と同じ時間の間であってもよい）、静的に表示する。
【００６３】
その後、ＣＰＵ５０１は、本発明、視野スキャン装置を実現させるプログラムに従い、視標１０を動的視標に変え、設定された一定の速度（例えば、ＣＰＵ５０１が、静的に表示された視標６を動的視標に変え、視野スキャン用画面１を移動させた時の速度と同じ速度）で、右方向に移動させる表示制御を行う。
【００６４】
被験者が視野に、その動的視標の動きを認識できた時点でなされる入力（より具体的には、キーボード３０３の、例えばスペースキーが一瞬押されることによりなされる入力）が、入力装置（例えばキーボード３０３等）から受け付けられると、ＣＰＵ５０１は、その時点での動的視標表示位置、例えば、視標１１の位置でその動的視標を、設定された一瞬の間（例えば、視標６を静的に表示した時間と同じ時間の間であってもよい）、静的に表示する。
【００６５】
その時、ＣＰＵ５０１は、視標１０、及び視標１１の表示位置、及び、例えば視標走査線３と視標走査線４の間の距離（すなわち、例えば、今走査を行っている視標走査線と、それに隣接する走査済みの視標走査線との間の距離）、（及び必要であれば、例えば、固視標２と、視標１０、視標１１との間の相対的位置関係）を記憶装置（例えば、ＲＡＭ５０２やＨＤＤ５０４等）に記憶する。
【００６６】
ＣＰＵ５０１は、記憶装置（例えば、ＲＡＭ５０２やＨＤＤ５０４等）に記憶された視標１０、及び視標１１の表示位置、及び、例えば視標走査線３と視標走査線４の間の距離（すなわち、例えば、今走査を行っている視標走査線と、それに隣接する走査済みの視標走査線との間の距離）、（及び必要であれば、例えば、固視標２と、視標１０、視標１１との間の相対的位置関係）を読み出す。
【００６７】
ＣＰＵ５０１は、その読み出された視標１０、及び視標１１の表示位置、及び、例えば視標走査線３と視標走査線４の間の距離（すなわち、例えば、今走査を行っている視標走査線と、それに隣接する走査済みの視標走査線との間の距離）、（及び必要であれば、例えば、固視標２と、視標１０、視標１１との間の相対的位置関係）を基にして、視野マッピング用画面１６に視野マッピング矩形２１を形成、表示する。
【００６８】
視野マッピング矩形２１の幅は、視標１０、及び視標１１の表示位置を基にして、ＣＰＵ５０１により形成される。
視野マッピング矩形２１の高さは、例えば視標走査線３と視標走査線４の間の距離（すなわち、例えば、今走査を行っている視標走査線と、それに隣接する走査済みの視標走査線との間の距離）を基にして、ＣＰＵ５０１により形成される。
【００６９】
視野マッピング用画面１６における視野マッピング矩形２１の表示位置は、視標１０、及び視標１１の表示位置、（及び必要であれば、例えば、固視標２と、視標１０、視標１１との間の相対的位置関係）を基にして、ＣＰＵ５０１により決定される。
【００７０】
ＣＰＵ５０１は、本発明、視野スキャン装置を実現させるプログラムに従い、視野マッピング矩形２１を、例えば緑色で塗りつぶす（他の色で塗りつぶしてもよい）。
その塗りつぶしにおいては、演算装置により算出され記憶装置（例えば、ＲＡＭ５０２やＨＤＤ５０４等）に記憶された視標１０から視標１１までの距離をＣＰＵ５０１が読み出し、その距離の値を、ＣＰＵ５０１が、演算装置により演算を行うことにより、ＲＧＢの例えばＧの色コードを（その距離の値に応じて）指定するための値に変換する。
【００７１】
ＣＰＵ５０１は、例えば、視標１０から視標１１までの距離が長い程、輝度を増大させた緑色により視野マッピング矩形２１を塗りつぶす（距離が長い程、輝度を低下させるように設定してもよい）。
【００７２】
既述したように、ＣＰＵ５０１は視標１１を、設定された一瞬の間、視野スキャン用画面１に、静的に表示するが、その後ＣＰＵ５０１は、本発明、視野スキャン装置を実現させるプログラムに従い、視標１１を動的視標に変え、設定された一定の速度（例えば、ＣＰＵ５０１が、静的に表示された視標６を動的視標に変え、視野スキャン用画面１を移動させた時の速度と同じ速度）で、右方向に移動させる表示制御を行う。
【００７３】
被験者が視野に、その動的視標の動きを認識できた時点でなされる入力（より具体的には、キーボード３０３の、例えばスペースキーが一瞬押されることによりなされる入力）が、入力装置（例えばキーボード３０３等）から受け付けられると、ＣＰＵ５０１は、その時点での動的視標表示位置、例えば、視標１２の位置でその動的視標を、設定された一瞬の間（例えば、視標６を静的に表示した時間と同じ時間の間であってもよい）、静的に表示する。
【００７４】
その時、ＣＰＵ５０１は、視標１１、及び視標１２の表示位置、及び、例えば視標走査線３と視標走査線４の間の距離（すなわち、例えば、今走査を行っている視標走査線と、それに隣接する走査済みの視標走査線との間の距離）、（及び必要であれば、例えば、固視標２と、視標１１、視標１２との間の相対的位置関係）を記憶装置（例えば、ＲＡＭ５０２やＨＤＤ５０４等）に記憶する。
【００７５】
ＣＰＵ５０１は、記憶装置（例えば、ＲＡＭ５０２やＨＤＤ５０４等）に記憶された視標１１、及び視標１２の表示位置、及び、例えば視標走査線３と視標走査線４の間の距離（すなわち、例えば、今走査を行っている視標走査線と、それに隣接する走査済みの視標走査線との間の距離）、（及び必要であれば、例えば、固視標２と、視標１１、視標１２との間の相対的位置関係）を読み出す。
【００７６】
ＣＰＵ５０１は、その読み出された視標１１、及び視標１２の表示位置、及び、例えば視標走査線３と視標走査線４の間の距離（すなわち、例えば、今走査を行っている視標走査線と、それに隣接する走査済みの視標走査線との間の距離）、（及び必要であれば、例えば、固視標２と、視標１１、視標１２との間の相対的位置関係）を基にして、視野マッピング用画面１６に視野マッピング矩形２２を形成、表示する。
【００７７】
視野マッピング矩形２２の幅は、視標１１、及び視標１２の表示位置を基にして、ＣＰＵ５０１により形成される。
視野マッピング矩形２２の高さは、例えば視標走査線３と視標走査線４の間の距離（すなわち、例えば、今走査を行っている視標走査線と、それに隣接する走査済みの視標走査線との間の距離）を基にして、ＣＰＵ５０１により形成される。
【００７８】
視野マッピング用画面１６における視野マッピング矩形２２の表示位置は、視標１１、及び視標１２の表示位置、（及び必要であれば、例えば、固視標２と、視標１１、視標１２との間の相対的位置関係）を基にして、ＣＰＵ５０１により決定される。
【００７９】
ＣＰＵ５０１は、本発明、視野スキャン装置を実現させるプログラムに従い、視野マッピング矩形２２を、例えば緑色で塗りつぶす（他の色で塗りつぶしてもよい）。
その塗りつぶしにおいては、演算装置により算出され記憶装置（例えば、ＲＡＭ５０２やＨＤＤ５０４等）に記憶された視標１１から視標１２までの距離をＣＰＵ５０１が読み出し、その距離の値を、ＣＰＵ５０１が、演算装置により演算を行うことにより、ＲＧＢの例えばＧの色コードを（その距離の値に応じて）指定するための値に変換する。
【００８０】
ＣＰＵ５０１は、例えば、視標１１から視標１２までの距離が長い程、輝度を増大させた緑色により視野マッピング矩形２２を塗りつぶす（距離が長い程、輝度を低下させるように設定してもよい）。
【００８１】
既述したように、ＣＰＵ５０１は視標１２を、設定された一瞬の間、視野スキャン用画面１に、静的に表示するが、その後ＣＰＵ５０１は、本発明、視野スキャン装置を実現させるプログラムに従い、視標１２を動的視標に変え、設定された一定の速度（例えば、ＣＰＵ５０１が、静的に表示された視標６を動的視標に変え、視野スキャン用画面１を移動させた時の速度と同じ速度）で、右方向に移動させる表示制御を行う。
【００８２】
同様な処理を繰り返すことにより、例えば、今、ＣＰＵ５０１が、本発明、視野スキャン装置を実現させるプログラムに従い、視標１３を動的視標に変え、設定された一定の速度（例えば、ＣＰＵ５０１が、静的に表示された視標６を動的視標に変え、視野スキャン用画面１を移動させた時の速度と同じ速度）で、右方向に移動させる表示制御を行うとする。
【００８３】
その動的視標が視野スキャン用画面１の右端である位置４Ａを超えると、
ＣＰＵ５０１は、そのことを演算装置により検出し、視標１３の表示位置、及び位置４Ａ、及び、例えば視標走査線３と視標走査線４の間の距離（すなわち、例えば、今走査を行っている視標走査線と、それに隣接する走査済みの視標走査線との間の距離）、（及び必要であれば、例えば、固視標２と、視標１３、位置４Ａとの間の相対的位置関係）を記憶装置（例えば、ＲＡＭ５０２やＨＤＤ５０４等）に記憶する。
【００８４】
ＣＰＵ５０１は、記憶装置（例えば、ＲＡＭ５０２やＨＤＤ５０４等）に記憶された視標１３、及び位置４Ａの表示位置、及び、例えば視標走査線３と視標走査線４の間の距離（すなわち、例えば、今走査を行っている視標走査線と、それに隣接する走査済みの視標走査線との間の距離）、（及び必要であれば、例えば、固視標２と、視標１３、位置４Ａとの間の相対的位置関係）を読み出す。
【００８５】
ＣＰＵ５０１は、その読み出された視標１３、及び位置４Ａの表示位置、及び、例えば視標走査線３と視標走査線４の間の距離（すなわち、例えば、今走査を行っている視標走査線と、それに隣接する走査済みの視標走査線との間の距離）、（及び必要であれば、例えば、固視標２と、視標１３、位置４Ａとの間の相対的位置関係）を基にして、視野マッピング用画面１６に視野マッピング矩形２３を形成、表示する。
【００８６】
視野マッピング矩形２３の幅は、視標１３、及び位置４Ａの表示位置を基にして、ＣＰＵ５０１により形成される。
視野マッピング矩形２３の高さは、例えば視標走査線３と視標走査線４の間の距離（すなわち、例えば、今走査を行っている視標走査線と、それに隣接する走査済みの視標走査線との間の距離）を基にして、ＣＰＵ５０１により形成される。
【００８７】
視野マッピング用画面１６における視野マッピング矩形２３の表示位置は、視標１３、及び位置４Ａの表示位置、（及び必要であれば、例えば、固視標２と、視標１３、位置４Ａとの間の相対的位置関係）を基にして、ＣＰＵ５０１により決定される。
【００８８】
ＣＰＵ５０１は、本発明、視野スキャン装置を実現させるプログラムに従い、視野マッピング矩形２３を、例えば緑色で塗りつぶす（他の色で塗りつぶしてもよい）。
その塗りつぶしにおいては、演算装置により算出され記憶装置（例えば、ＲＡＭ５０２やＨＤＤ５０４等）に記憶された視標１３から位置４Ａまでの距離をＣＰＵ５０１が読み出し、その距離の値を、ＣＰＵ５０１が、演算装置により演算を行うことにより、ＲＧＢの例えばＧの色コードを（その距離の値に応じて）指定するための値に変換する。
【００８９】
ＣＰＵ５０１は、例えば、視標１３から位置４Ａまでの距離が長い程、輝度を増大させた緑色により視野マッピング矩形２３を塗りつぶす（距離が長い程、輝度を低下させるように設定してもよい）。
【００９０】
同様な処理を繰り返すことにより、例えば、今、ＣＰＵ５０１が、本発明、視野スキャン装置を実現させるプログラムに従い、視標１４を動的視標に変え、設定された一定の速度（例えば、ＣＰＵが、静的に表示された視標６を動的視標に変え、視野スキャン用画面１を移動させた時の速度と同じ速度）で、右方向に移動させる表示制御を行うとする。
【００９１】
その動的視標が視野スキャン用画面１の右端である位置１４Ａを超えると、
ＣＰＵ５０１は、そのことを演算装置により検出し、視標１４の表示位置、及び位置１４Ａ、及び、例えば視標走査線３と視標走査線４の間の距離（すなわち、例えば、今走査を行っている視標走査線と、それに隣接する走査済みの視標走査線との間の距離）、（及び必要であれば、例えば、固視標２と、視標１４、位置１４Ａとの間の相対的位置関係）を記憶装置（例えば、ＲＡＭ５０２やＨＤＤ５０４等）に記憶する。
【００９２】
ＣＰＵ５０１は、記憶装置（例えば、ＲＡＭ５０２やＨＤＤ５０４等）に記憶された視標１４、及び位置１４Ａの表示位置、及び、例えば視標走査線３と視標走査線４の間の距離（すなわち、例えば、今走査を行っている視標走査線と、それに隣接する走査済みの視標走査線との間の距離）、（及び必要であれば、例えば、固視標２と、視標１４、位置１４Ａとの間の相対的位置関係）を読み出す。
【００９３】
ＣＰＵ５０１は、その読み出された視標１４、及び位置１４Ａの表示位置、及び、例えば視標走査線３と視標走査線４の間の距離（すなわち、例えば、今走査を行っている視標走査線と、それに隣接する走査済みの視標走査線との間の距離）、（及び必要であれば、例えば、固視標２と、視標１４、位置１４Ａとの間の相対的位置関係）を基にして、視野マッピング用画面１６に視野マッピング矩形２４を形成、表示する。
【００９４】
視野マッピング矩形２４の幅は、視標１４、及び位置１４Ａの表示位置を基にして、ＣＰＵ５０１により形成される。
視野マッピング矩形２４の高さは、例えば視標走査線３と視標走査線４の間の距離（すなわち、例えば、今走査を行っている視標走査線と、それに隣接する走査済みの視標走査線との間の距離）を基にして、ＣＰＵ５０１により形成される。
【００９５】
視野マッピング用画面１６における視野マッピング矩形２４の表示位置は、視標１４、及び位置１４Ａの表示位置、（及び必要であれば、例えば、固視標２と、視標１４、位置１４Ａとの間の相対的位置関係）を基にして、ＣＰＵ５０１により決定される。
ＣＰＵ５０１は、本発明、視野スキャン装置を実現させるプログラムに従い、視野マッピング矩形２４を、例えば緑色で塗りつぶす（他の色で塗りつぶしてもよい）。
【００９６】
その塗りつぶしにおいては、演算装置により算出され記憶装置（例えば、ＲＡＭ５０２やＨＤＤ５０４等）に記憶された視標１４から位置１４Ａまでの距離をＣＰＵ５０１が読み出し、その距離の値を、ＣＰＵ５０１が、演算装置により演算を行うことにより、ＲＧＢの例えばＧの色コードを（その距離の値に応じて）指定するための値に変換する。
【００９７】
ＣＰＵ５０１は、例えば、視標１４から位置１４Ａまでの距離が長い程、輝度を増大させた緑色により視野マッピング矩形２４を塗りつぶす（距離が長い程、輝度を低下させるように設定してもよい）。
【００９８】
（視野マッピング用画面１６において示される暗点２０１や盲点２０３の位置を、視野スキャン用画面１の固視標２表示位置との関係において明らかにするために、）
視野スキャン用画面１における固視標２表示位置に相当する視野マッピング用画面１６の位置を、視野マッピング用画面１６に、視野マッピング用画面の固視標１７のように、明示してもよい。
【００９９】
視野スキャンの結果生成される視野マッピング矩形群１５は、視野スキャンの結果生成されるものであり、視野スキャン用画面１における位置表現を正確に行う際の参考として図示したものである。
視野スキャンの結果生成される視野マッピング矩形群２５は、視野スキャンの結果生成されるものであり、視野マッピング用画面１６における位置表現を正確に行う際の参考として図示したものである。
【０１００】
ここで、本発明、視野スキャンを実現させるプログラムに従い、ＣＰＵ５０１が行う視野スキャン処理、及び視野マッピング処理について図４及び図５を参照して詳細に説明する。
図４及び図５は、図６に示したコンピュータにより実行される視野スキャン装置における視野スキャン処理、及び視野マッピング処理を示す流れ図である。
【０１０１】
視野スキャン処理、及び視野マッピング処理のステップＳ２では、ＣＰＵ５０１が、視野スキャン用画面１であるウィンドウID０を出力装置（例えばディスプレイ３０４）に生成する。
ＣＰＵ５０１は、その大きさを、例えば、ｘ座標方向の幅、６００ドットに、ｙ座標方向の高さ、４６０ドットに設定する。
以下、視野スキャン用画面１に対する説明では、視野スキャン用画面１の左上端の位置をｘ座標、０ドット、ｙ座標、０ドットの位置であるとし、ｘ座標軸は、視野スキャン用画面１の左上端から右方向に、また、ｙ座標軸は、視野スキャン用画面１の左上端から下方向に生成されるものとして、位置の説明を行う。
【０１０２】
ステップＳ３では、ＣＰＵ５０１が、視野マッピング用画面１６であるウィンドウID２を出力装置（例えばディスプレイ３０４）に生成する。
ＣＰＵ５０１は、その大きさを、例えば、ｘ座標方向の幅、６００ドットに、ｙ座標方向の高さ、４６０ドットに設定する。
以下、視野マッピング用画面１６に対する説明では、視野マッピング用画面１６の左上端の位置をｘ座標、０ドット、ｙ座標、０ドットの位置であるとし、ｘ座標軸は、視野マッピング用画面１６の左上端から右方向に、また、ｙ座標軸は、視野マッピング用画面１６の左上端から下方向に生成されるものとして、位置の説明を行う。
【０１０３】
ステップＳ４では、ＣＰＵ５０１が、視野スキャン用画面１に対する背景色を設定する。
【０１０４】
ステップＳ５では、ＣＰＵ５０１が、固視標色、固視標の大きさ、及び固視標の形、の設定を行い、視野スキャン用画面１において、例えば、ｘ座標が３００−２ドット、ｙ座標が２００＋３０ドットの位置に固視標２の表示を行う。
【０１０５】
ステップＳ６では、ＣＰＵ５０１が、変数counb、変数counbvの値を、０に初期化する。（例えば、変数counbvは、視標走査線のｙ軸方向の位置に関係しており、例えば、Ｓ８、Ｓ１４におけるように、20+counbvは視標走査線のｙ座標を表す。）
（変数counbvの値を、０に初期化することにより、視標走査線の位置を初期位置に設定している。）
【０１０６】
ステップＳ７では、ＣＰＵ５０１が、変数firstzの値を、０に初期化する。
（変数firstzの値とは、静的表示位置記憶手段により記憶装置に記憶される視標の表示位置であり、Ｓ２１において生成される視野マッピング矩形（例えば、視野マッピング矩形１８、１９、２０、２１、２２、２３、２４のそれぞれ）の左端のｘ座標に値する。）
【０１０７】
ステップＳ８では、ＣＰＵ５０１が視標色、視標の大きさ、視標の形、の設定を行う。
ＣＰＵ５０１は、視野スキャン用画面１における例えば、ｘ座標がfirstzドット、ｙ座標が20+counbvドットの位置に、視標を表示する。
（視標走査線設定手段の一環である。）
（変数firstzは、静的表示位置記憶手段の一環である。）
【０１０８】
ステップＳ９では、ＣＰＵ５０１がxcoordinatez（Ｓ１６におけるように、変数xcoordinatezは、視標を動的に表示制御するための変数）の値を０に初期化する。
（同一走査線走査続行手段の一環である。）
（次の走査線への走査移行手段の一環である。）
【０１０９】
ステップＳ１０では、ＣＰＵ５０１が入力受付手段を初期化する。
【０１１０】
ステップＳ１１では、ＣＰＵ５０１が、例えば、設定された一瞬の時間だけプログラムの実行を中断することにより、視標を静的に表示する。
（静的表示制御手段の一環である。）
（同一走査線走査続行手段の一環である。）
（次の走査線への走査移行手段の一環であってもよい。）
【０１１１】
ステップＳ１２では、ＣＰＵ５０１が、視野スキャン用画面１を、ステップＳ４で設定された（視野スキャン用画面１の）背景色で塗りつぶす。
【０１１２】
ステップＳ１３では、ＣＰＵ５０１が、固視標色、固視標の大きさ、及び固視標の形、の設定を行う。
ＣＰＵ５０１は、視野スキャン用画面１において、例えば、ｘ座標が３００−２ドット、ｙ座標が２００＋３０ドットの位置に、固視標２を表示する。
【０１１３】
ステップＳ１４では、ＣＰＵ５０１が視標色、視標の大きさ、視標の形、を設定する。
ＣＰＵ５０１は、演算装置により演算を行い、視野スキャン用画面１における例えば、ｘ座標がfirstz+xcoordinatezドット、ｙ座標が20+counbvドットの位置に、視標を表示する。
（視標走査線設定手段の一環である。）
（動的表示制御手段の一環である。）
【０１１４】
ステップＳ１５では、ＣＰＵ５０１が演算装置により、firstz+xcoordinatezの演算を行い、その結果を変数secondzに代入し、記憶装置（例えば、ＲＡＭ５０２やＨＤＤ５０４等）に記憶する。
（Ｓ２２であり、且つsecondz>=600ではない場合においては、変数secondzは、検出位置記憶手段の一環である。）
（視標が、視野スキャン用画面１の右端に至り、secondz>=600になった場合には、Ｓ１７、Ｓ２１におけるように、検出位置記憶手段は、検出手段により検出された時点での、視標表示位置に代えて、視野スキャン用画面１の右端のｘ座標を、変数secondzに記憶するようにしてもよい。）
（Ｓ２１においては、変数secondzは、視野マッピング（矩形形成）手段の一環であり、Ｓ２１において生成される視野マッピング矩形（例えば、視野マッピング矩形１８、１９、２０、２１、２２、２３、２４のそれぞれ）の右端のｘ座標に値する。）
（Ｓ２３においては、変数secondzは、次の走査線への走査移行手段の一環である。）
【０１１５】
ステップＳ１６では、ＣＰＵ５０１が演算装置により、xcoordinatezの値を例えば、１、インクリメントし、その結果を記憶装置（例えば、ＲＡＭ５０２やＨＤＤ５０４等）に記憶する。
そのようなインクリメントは、ＣＰＵ５０１が、視標に動的特性を生じさせるための設定である（インクリメントの値は他の値であってもよい）。
（動的表示制御手段の一環である。）
（変数xcoordinatezは距離記憶手段である。（しかし、視標が、視野スキャン用画面１の右端に至り、secondz>=600になった場合には、Ｓ１７、Ｓ１８におけるように、視野スキャン用画面１の右端の位置から、その右端に至る直前に、視標が所定の一瞬の間、静的に表示された位置までの距離を、変数xcoordinatezに記憶するように設定してもよい。））
【０１１６】
ステップＳ１７では、入力装置（例えば、キーボード３０３等）から視標の動き認識に関する入力が受け付けられた？、あるいはsecondz>=600？に関する判断が、ＣＰＵ５０１により行われる。
その何れでもない場合には、ＣＰＵ５０１は、ステップＳ１２に戻って処理を続けることで、視標に動的特性を生じさせる。（動的表示制御手段の一環である。）
【０１１７】
ステップＳ１７における、入力装置（例えば、キーボード３０３等）から視標の動き認識に関する入力が受け付けられた？、あるいはsecondz>=600？に関する判断において、その何れか、あるいは双方に該当すると、ＣＰＵ５０１が判断した場合には、ＣＰＵ５０１は、ステップ１８の処理へ移行する。
（検出手段の一環である。）
（次の走査線への走査移行手段の一環である。）
【０１１８】
ステップＳ１８では、ＣＰＵ５０１が、演算装置により、例えば、5 * (secondz-firstz)の演算を行い、その結果を変数colorzに代入して、記憶装置（例えば、ＲＡＭ５０２やＨＤＤ５０４等）に記憶する。
（視野マッピング矩形画像処理手段の一環である。）
【０１１９】
ステップＳ１９では、記憶装置（例えば、ＲＡＭ５０２やＨＤＤ５０４等）に記憶された変数colorzの値をＣＰＵ５０１が読み出し、演算装置によりcolorz>=255であるか否かの判断を、ＣＰＵ５０１が行う。
ステップＳ１９において、ＣＰＵ５０１が、colorz>=255でないと判断した場合には、ＣＰＵ５０１は、ステップＳ２１へ移行して処理を続ける。
（視野マッピング矩形画像処理手段の一環である。）
【０１２０】
ステップＳ１９において、ＣＰＵ５０１が、colorz>=255であると判断した場合には、ＣＰＵ５０１はステップＳ２０においてcolorzの値を２５５に更新して、記憶装置（例えば、ＲＡＭ５０２やＨＤＤ５０４等）に記憶し、ステップＳ２１に移行して処理を続ける。
【０１２１】
ステップＳ２１では、ＣＰＵ５０１が、視野マッピング用画面ID２に視野マッピング矩形（例えば、視野マッピング矩形１８、１９、２０、２１、２２、２３、２４）を生成する。
ＣＰＵ５０１は、例えば、その視野マッピング矩形（例えば、視野マッピング矩形１８、１９、２０、２１、２２、２３、２４）の、左上端のｘ座標、ｙ座標を（firstz, 20+counbv）に、また、右下端のｘ座標、ｙ座標を（secondz, 20+counbv+20）に設定する。
（視野マッピング（矩形形成）手段の一環である。）
（右下端のｙ座標20+counbv+20における+20とは、視野マッピング矩形の高さを設定しており、その２０とは、例えば、Ｓ２５において、counbvに対してなされるインクリメント量、すなわち、隣接視標走査線間隔を参照して設定されている。）
（走査線の両端に位置して生成された視野マッピング矩形に対しては、必要があれば、上述の色とは異なる色を指定してもよい。）
（視野マッピングに際しては、矩形のすべての辺を明示するとは限らない場合があってもよい。）
（静的表示位置記憶手段により記憶された視標の表示位置、及び検出位置記憶手段により記憶された視標の表示位置、（及び、必要であれば、視標走査線設定手段により設定された視標走査線に関する情報）を参照するのであれば、矩形に限らず、視野マッピングを行う場合があってもよい。）
ＣＰＵ５０１は、その視野マッピング矩形を、Ｒ，Ｇ，Ｂの輝度が、例えば、それぞれ、０,colorz,６である色で塗りつぶす。
（視野マッピング矩形画像処理手段の一環である。）
【０１２２】
ステップＳ２２においては、ＣＰＵ５０１が変数firstzの内容を、変数secondzに記憶されていた内容に更新して、記憶装置（例えば、ＲＡＭ５０２やＨＤＤ５０４等）に記憶する。
（ステップＳ２２であり、且つsecondz>=600ではない場合においては、変数secondzは、検出位置記憶手段の一環である。）
（ステップＳ２２であり、且つsecondz>=600ではない場合においては、更新された変数firstzの内容は、静的表示位置記憶手段の一環である。）
（ステップＳ２２であり、且つsecondz>=600ではない場合においては、同一走査線走査続行手段の一環である。）
【０１２３】
ステップＳ２３では、ＣＰＵ５０１が演算装置により、secondz>=600？に関する判断を行う。
ステップＳ２３において、ＣＰＵ５０１がsecondz>=600ではないとの判断を行った場合には、ＣＰＵ５０１は、ステップＳ８まで戻って、処理を続ける。（同一走査線走査続行手段の一環である。）
【０１２４】
ステップＳ２３において、ＣＰＵ５０１がsecondz>=600であるとの判断を行った場合には、ＣＰＵ５０１は、ステップＳ２４において、変数firstzの値を０に初期化し（次の走査線への走査移行手段の一環である。）、ステップＳ２５において、変数counbの値を、例えば、１、インクリメントさせ記憶装置（例えば、ＲＡＭ５０２やＨＤＤ５０４等）に記憶し、ＣＰＵ５０１は記憶装置（例えば、ＲＡＭ５０２やＨＤＤ５０４等）に記憶されたそのcounbの値を読み出し、演算装置により、例えば、２０＊counbの演算を行い、結果を変数counbvに代入し（視標走査線設定手段の一環である。）（次の走査線への走査移行手段の一環である。）、記憶装置（例えば、ＲＡＭ５０２やＨＤＤ５０４等）に記憶させ、その後、ＣＰＵ５０１は、ステップＳ８まで戻って、処理を続ける。
【図面の簡単な説明】
【０１２５】
【図１】本発明、視野スキャン装置の最良の実施形態の走査及び作動態様、及び視野マッピング態様の一例を示す図である。
【図２】本発明、視野スキャン装置の最良の実施形態の走査により生成される視野マッピング画像の態様の一例を示す図である。
【図３】本発明、視野スキャン装置の最良の実施形態の構成の一例を表す概略構成図である。
【図４】本発明、視野スキャン装置における視野スキャン処理、及び視野マッピング処理の最良の実施形態の一例を表す流れ図である。
【図５】本発明、視野スキャン装置における視野スキャン処理、及び視野マッピング処理の最良の実施形態の一例を表す流れ図の続きである。
【図６】本発明、視野スキャン装置の最良の実施形態のＣＰＵのハードウェア構成の一例を表す図である。
【符号の説明】
【０１２６】
１  視野スキャン用画面
２  固視標
３、４、５  視標走査線
３Ａ、４Ａ  位置
６、７、８、９、１０、１１、１２、１３、１４  視標
１４Ａ  位置
１５  視野スキャンの結果、生成される視野マッピング矩形群
１６  視野マッピング用画面
１７  視野マッピング用画面の固視標
１８、１９、２０、２１、２２、２３、２４  視野マッピング矩形
２５  視野スキャンの結果、生成される視野マッピング矩形群
２０１  暗点
２０２  暗点と盲点の接続部分
２０３  盲点
２０４  視野視覚機能が低下している領域
２０５  視野視覚機能がわずかに低下している領域
３０１  コンピュータシステム
３０２  本体
３０３  キーボード
３０４  ディスプレイ
３０５  プリンタ
３０６  マウス
３０７  スピーカ
５０１  ＣＰＵ
５０２  ＲＡＭ
５０３  ＲＯＭ
５０４  ＨＤＤ
５０５  バス
【要約】
【課題】従来の視野計によって検出される暗点や盲点の形状は非常に大雑把であり、初期段階にある視野障害を検出できていない。
【解決手段】視野スキャン用画面生成手段と、固視標表示制御手段と、視標走査線平行設定手段と、静的表示制御手段と、静的表示位置記憶手段と、静的表示制御一旦終了手段と、動的表示制御手段と、検出手段と、検出位置記憶手段と、視野マッピング用画面生成手段と、視野マッピング手段と、動的表示制御一旦終了手段と、同一走査線走査続行手段と、次の走査線への走査移行手段、とを備えることを特徴とする視野スキャン装置。
【選択図】図１【図１】
0004218847.tif 000002
【図２】
0004218847.tif 000003
【図３】
0004218847.tif 000004
【図４】
0004218847.tif 000005
【図５】
0004218847.tif 000006
【図６】
0004218847.tif 000007